(57)【特許請求の範囲】
【請求項１】
本体と、
前記本体に設けられた入力部と、
前記入力部に隣接した位置において前記本体に設けられ、連続紙を内部に収納するとともに前記連続紙に各種情報を印刷する印字部と、
前記入力部および前記印字部に隣接した位置において、第１の軸を介して前記本体に連結された連結部材と、
前記連結部材に第２の軸を介して連結され、通常の使用状態においては、前記入力部に対して前記連結部材の分だけ間隔を空けて設けられた表示部と、
を備え、
通常の使用状態において前記表示部は前記印字部への前記連続紙の出し入れを妨げる位置にあるとともに、前記第２の軸を介する前記表示部の前記入力部の方向への回転動作および前記第１の軸を介する前記連結部材の前記入力部の方向への回転動作により前記表示部を前記印字部から退避させた状態においては、前記印字部への前記連続紙の出し入れが可能となる電子機器。
【請求項２】
前記表示部が前記入力部側に移動した状態において、前記連結部材により前記表示部と前記入力部との間に所定の間隔が形成される請求項１記載の電子機器。
【請求項３】
前記印字部は前記連続紙に印字をしてレシートを発行するレシートプリンタを有し、通常の使用状態において、前記レシートプリンタから発行される前記レシートは、前記本体、前記連結部材および前記表示部により形成される空間を通過する請求項１または２記載の電子機器。
【請求項４】
前記表示部は、前記連結部材に前記第２の軸を介して連結された店員用表示部と、前記店員用表示部に第３の軸を介して連結され、前記店員用表示部と異なる方向を向いた客用表示部と、を有する請求項１乃至３の何れかに記載の電子機器。
【請求項５】
前記客用表示部への電源および表示データの供給は、前記本体から前記連結部材および前記店員用表示部を介して行われる請求項４に記載の電子機器。
【請求項６】
前記客用表示部は、通常の使用状態において前記印字部の上方にある請求項４または５に記載の電子機器。
【発明の詳細な説明】
【技術分野】
【０００１】
本発明の実施形態は、電子機器に関する。
【背景技術】
【０００２】
従来、スーパーマーケットや量販店において、商品販売データの処理を行うため、オペレータ用の画面および客用の画面を備えたＰＯＳ（Ｐｏｉｎｔ  Ｏｆ  Ｓａｌｅｓ）端末等の電子機器が用いられている（特許文献１参照）。
【０００３】
ＰＯＳ端末は、精算場所に配設されてキャッシャが売上処理を行うための端末であり、本体の上面側にキーボードが設けられている。
【０００４】
本体の上面側の略中央付近には、店員用の表示部が、キーボード側を向くように、軸を介して上下方向の角度調整可能に設けられている。本体の上面側の奥側端部近傍には、客用の表示部が、店員用の表示部とは反対側を向くように、軸を介して左右方向の角度調整可能に設けられている。
【０００５】
ＰＯＳ端末の本体内部であってキーボード近傍には、レシートプリンタおよびジャーナルプリンタが、本体の上面に平行に並べて設けられている。レシートプリンタに連続紙を出し入れするための蓋と、ジャーナルプリンタに連続紙を出し入れするための蓋は、本体の上面に並べて設けられている。また、蓋には、レシートプリンタのレシート取り出し口が設けられている。
【発明の概要】
【発明が解決しようとする課題】
【０００６】
しかし、上述した従来のＰＯＳ端末では、それぞれの構成が本体の上面側において平面方向に並べて配置されているため、平面方向に対して装置が大型化してしまい、平面方向に対する省スペース性に課題がある。特に、店員用の表示部と、客用の表示部とを、本体の上面であって、レシートプリンタの蓋とジャーナルプリンタの蓋の開閉動作の妨げにならない位置に設ける必要がある。すなわち、店員用の表示部および客用の表示部を、本体の上面であって、レシートプリンタの蓋およびジャーナルプリンタの蓋の動作範囲外に設ける必要がある。そのため、店員用の表示部および客用の表示部を、レシートプリンタおよびジャーナルプリンタから所定の間隔を空けて設ける必要があり、この間隔が平面方向に対する装置の小型化の妨げとなっている。
【０００７】
そこで、ＰＯＳ端末の機能を省くことなく、平面方向への省スペース性を向上し、設置に要する面積を極力小さくすることが望まれている。
【課題を解決するための手段】
【０００８】
実施形態に係る電子機器は、本体と、前記本体に設けられた入力部と、前記入力部に隣接した位置において前記本体に設けられ、連続紙を内部に収納するとともに前記連続紙に各種情報を印刷する印字部と、前記入力部および前記印字部に隣接した位置において、第１の軸を介して前記本体に連結された連結部材と、前記連結部材に第２の軸を介して連結され、通常の使用状態においては、前記入力部に対して前記連結部材の分だけ間隔を空けて設けられた表示部と、を備え、通常の使用状態において前記表示部は前記印字部への前記連続紙の出し入れを妨げる位置にあるとともに、前記第２の軸を介する前記表示部の前記入力部の方向への回転動作および前記第１の軸を介する前記連結部材の前記入力部の方向への回転動作により前記表示部を前記印字部から退避させた状態においては、前記印字部への前記連続紙の出し入れが可能となる。
【図面の簡単な説明】
【０００９】
【図１】図１は、本実施形態に係るＰＯＳ端末を示す前方斜視図である。
【図２】図２は、上記ＰＯＳ端末の後方斜視図である。
【図３】図３は、上記ＰＯＳ端末の店員用の表示部を倒した状態を示す前方斜視図である。
【図４】図４は、上記ＰＯＳ端末の使用状態を示す側面図である。
【図５】図５は、上記ＰＯＳ端末の店員用の表示部を倒す途中の状態を示す側面図である。
【図６】図６は、上記ＰＯＳ端末の店員用の表示部を倒した状態を示す側面図である。
【発明を実施するための形態】
【００１０】
以下、図１〜６を用いて、実施形態に係る電子機器の実施例としてのＰＯＳ端末について説明する。
【００１１】
図１および図２は、実施形態に係るに係るＰＯＳ端末の概略的な概観構成を示す前方斜視図および後方斜視図である。
【００１２】
ＰＯＳ端末１は、店舗の会計場所などに設置され、客が購入する商品の登録処理および会計処理を行う電子機器である。図１および図２に示すように、このＰＯＳ端末１は、本体２と、キーボード３と、店員用の表示部４と、客用の表示部５と、連結部材８と、レシートプリンタ６と、ジャーナルプリンタ７とを備えて構成されている。
【００１３】
本体２は、その内部に各種情報処理を行う情報処理部（不図示）や、各種情報を記憶する記憶部（不図示）等が設けられている。
【００１４】
本体２の上面側の一端側には、店員が各種操作を行うテンキーなどの各種機能キーを有する入力部としてのキーボード３が設けられている。
【００１５】
本体２の上面側であってキーボード３に隣接する位置には、店員に対して処理内容などの各種情報を表示する店員用の表示部４が、２つの連結部材８を介して取り付けられている。
【００１６】
連結部材８は、第１軸８１（図４乃至図６参照）を介して本体２と前後方向（キーボード３と、レシートプリンタ６やジャーナルプリンタ７とを結ぶ方向）に角度調節可能に連結しているとともに、第２軸８２（図４乃至図６参照）を介して店員用の表示部４と前後方向に角度調節可能に連結している。すなわち、店員用の表示部４は本体２に、連結部８を介して前後方向に角度調節可能に取り付けられている。そして、店員用の表示部４への電源や各種表示データの供給は、本体２から連結部材８を介して行われる。なお、第２軸８２の回転動作には所定の抵抗力が加わるようになっている。この抵抗力により、店員用の表示部４は、連結部８に対して角度調節ができ、かつ、所定の角度を維持することができる。
【００１７】
客用の表示部５は、店員用の表示部４の連結部材８と連結している側とは反対側の端部に、軸５２を介して前後方向に角度調節可能に連結している。ＰＯＳ端末１の通常の使用状態においては、客用の表示部５は、後述するレシートプリンタ６およびジャーナルプリンタ７の上方に位置する。
【００１８】
客用の表示部５は、客に対して購入した品物や請求金額などの各種情報を表示する。客用の表示部５に対する電源や各種表示データの供給は、本体２から連結部材８および店員用の表示部４を介して行われる。これにより、客用の表示部５を本体２上に直接設けなくても電源や各種表示データの供給が可能となる。なお、この軸５２の回転動作には所定の抵抗力が加わるようになっている。この抵抗力により、客用の表示部５は、店員用の表示部４に対して角度調節ができ、かつ、所定の角度を維持することができる。
【００１９】
客用の表示部５を店員用の表示部４に連続して設けることにより、本体２の上面側に客用の表示部５を設けるためのスペースを確保する必要が無くなり、ＰＯＳ端末１を平面方向に対して小型化することができる。
【００２０】
また、ＰＯＳ端末１の通常の使用状態において、客用の表示部５は、後述するレシートプリンタ６およびジャーナルプリンタ７の上方に位置していて、本体２から平面方向に突出することがない。そのため、ＰＯＳ端末１を平面方向に対して小型化することができる。
【００２１】
図１乃至図３に示すように、店員用の表示部４の下部であってキーボード３に近接した位置には、レシートプリンタ６とジャーナルプリンタ７が平面方向に並べて配置されている。
【００２２】
レシートプリンタ６は、購入品目やその合計額等を連続紙に印刷してレシートとして発行する。このレシートプリンタ６は、内部にロール状の連続紙を収納する収納部（不図示）と、連続紙に印字を行う印字部（不図示）と、収納部から印字部を経てレシートプリンタ６の外部へと連続紙を輸送する給紙部（不図示）と、これらの各部位を覆う蓋６２とを有している。連続紙に印字が行われて作成されたレシートは、蓋６２に設けられたレシート排出口６１から排出される。
【００２３】
ジャーナルプリンタ７は、ＰＯＳ端末１の本体２内部に設けられている記憶部に記憶されている１日の売上実績等のデータを連続紙に印刷してジャーナルとして発行する。このジャーナルプリンタ７は、内部にロール状の連続紙を収納する収納部（不図示）と、連続紙に印字を行う印字部（不図示）と、印字が終了した連続紙をロール状に巻き取る巻取部（不図示）と、これらの各部位を覆う蓋７２と、を有している。
【００２４】
レシートプリンタ６とジャーナルプリンタ７は、キーボード３に近接して設けられている。そのため、ＰＯＳ端末１を平面方向に小型化することができる。
【００２５】
また、ＰＯＳ端末１を平面方向に小型化するためには、平面方向において各構成を近接して設ける必要がある。一方で、キーボード３の操作性を確保するためには、店員用の表示部４をキーボード３から所定の間隔を空けて設ける必要がある。
【００２６】
そこで、本実施形態に係るＰＯＳ端末１では、店員用の表示部４は、本体２の上部に、キーボード３に近接して設けられた連結部材８を介して設けられている。すなわち、本体２の上部において、キーボード３、連結部材８、レシートプリンタ６およびジャーナルプリンタ７のみを近接して設けることができ、平面方向における省スペース性に優れた構成となっている。
【００２７】
そして、店員用の表示部４は、連結部材８を介して本体２に設けられているため、通常の使用状態（図１参照）においては、店員用の表示部４はキーボード３に対して連結部材８の分だけオフセットするため、キーボード３の操作性を確保することができる。
【００２８】
上述した実施形態に係るＰＯＳ端末１の、店員用の表示部４の動作について図４〜図６を用いて説明する。
【００２９】
図４は、ＰＯＳ端末１の通常の使用状態を示す側面図である。このときＰＯＳ端末１の店員用の表示部４は店員側に向いているとともに、客用の表示部５は客側に向いている。また、この状態において、本体２、連結部８および店員用の表示部４により形成される空間を通じて、レシート排出口６１が店員側に露出した状態となっている（図１参照）。これにより、店員は、レシート排出口６１から本体２、連結部８および店員用の表示部４により形成される空間を通じて排出されるレシートを手に取ることができる。
【００３０】
しかし、図４に示す状態では、レシートプリンタ６の蓋６２およびジャーナルプリンタ７の蓋７２の動作範囲Ｄ内に店員用の表示部４がある。そのため、蓋６２、７２を開くと、店員用の表示部４の下辺に接触してしまうため、このままの状態では蓋６２、７２の開閉を行うことができず、レシートプリンタ６やジャーナルプリンタ７へのロール紙の出し入れをすることができない。そこで、レシートプリンタ６やジャーナルプリンタ７へのロール紙の出し入れをするとき等、蓋６２、７２の開閉を行う必要がある場合には、店員用の表示部４を蓋６２、７２の動作範囲Ｄ外に退避させる必要がある。
【００３１】
店員用の表示部４を蓋６２、７２の動作範囲Ｄ外に退避させるには、まず、図５に示すように、第２軸８２を介して店員用の表示部４をキーボード３の方向に回転、起立させる。このとき、回転した店員用の表示部４の下辺４１と連結部材８とが当接することで、店員用の表示部４の回転は、所定の角度まで行われた状態で規制されるとともに、第２軸８２の回転に対する抵抗力によりその状態が維持される。また、店員用の表示部４に連結されている客用の表示部５も店員用の表示部４の移動に伴い移動し、客用の表示部５が蓋６２、７２の動作範囲Ｄ外に退避する。
【００３２】
次に、図６に示すように、第１軸８１を介して連結部材８をキーボード３の方向に回転、起立させる。このとき、第１軸８１を介した連結部材８の回転は、連結部材８の端面８３と本体２上面とが当接することで、所定の角度まで行われた状態で規制される。この連結部材８の回転動作により、連結部材８と連結している店員用の表示部４も図５の状態から更にキーボード３側に移動し、蓋６２、７２の動作範囲Ｄ外に退避することができる。また、店員用の表示部４に追従して、客用の表示部５も図５の状態から更にキーボード３側へと移動する。
【００３３】
こうして店員用の表示部４と客用の表示部５がいずれも蓋６２、７２の動作範囲Ｄ外に退避することができ、蓋６２、７２の開閉を行うことができ、レシートプリンタ６やジャーナルプリンタ７へのロール紙の出し入れが可能な状態となる。なお、この状態においては、連結部材８により店員用の表示部４とキーボード３との間に所定の間隔が形成されるため、店員用の表示部４の接触によるキーボード３の誤操作を防止することができる。
【００３４】
上述した実施例に係るＰＯＳ端末１によれば、第２軸８２を介して店員用の表示部４がキーボード３の方向に回転、起立し、さらに第１軸８１を介して連結部材８がキーボード３の方向に回転、起立する。こうして通常の使用状態においては蓋６２、７２の動作範囲Ｄ内に位置していた店員用の表示部４およびそれに連結する客用の表示部５を、蓋６２、７２の動作範囲Ｄ外に退避させることができる。
【００３５】
これにより、店員用の表示部４と客用の表示部５とを、通常の使用状態において、蓋６２、７２の動作範囲Ｄ内に位置するように設けることができる。すなわち、従来、店員用の表示部４と客用の表示部５とを動作範囲Ｄ外に設けるために、店員用の表示部４および客用の表示部５と、蓋６２、７２との間に必要とされていた所定のスペースを省略することができ、平面方向においてＰＯＳ端末１を小型化することができる。
【００３６】
また、店員用の表示部４と客用の表示部５とを蓋６２、７２の動作範囲Ｄ外に退避させる際には、まず、店員用の表示部４と連結部材８とが第２軸８２を中心として折りたたまれるため、店員用の表示部４と連結部材８とが近接したコンパクトな状態となる。そして、コンパクトな状態となった店員用の表示部４と連結部材８とを第１軸８１を中心とした回転運動により移動させるため、店員用の表示部４と客用の表示部５とを蓋６２、７２の動作範囲Ｄ外に退避させる際の動作範囲を小さくすることができる。このように、店員用の表示部４と客用の表示部５との動作範囲が小さくて済むため、ＰＯＳ端末１の設置に要するスペースを小さくすることができる。
【００３７】
なお、上述した実施例は、例として提示したものであり、発明の範囲を限定することは意図していない。この新規な実施例は、その他の様々な形態で実施されることが可能であり、発明の要旨を逸脱しない範囲で、種々の省略、置き換え、変更を行うことができる。この実施例やその変形は、発明の範囲や要旨に含まれるとともに、特許請求の範囲に記載された発明とその均等の範囲に含まれる。
【００３８】
例えば、上述した実施例においては、２つの連結部材により店員用の表示部が本体に連結されていたが、本発明においてはこれに限らず、例えば１つや、３つ以上の連結部材を用いて連結されていてもよい。この場合でも、同様に平面方向に対してＰＯＳ端末を小型化することができる。
【００３９】
また、上述した実施例においては、本体上部に入力部としてのキーボードが設けられていたが、これを省略し、店員用の表示部を入力部も兼ねるタッチパネルとしてもよい。
【符号の説明】
【００４０】
１  ＰＯＳ端末
２  本体
３  キーボード
４  店員用の表示部
５  客用の表示部
６  レシートプリンタ
６１  レシート排出口
６２  蓋
７  ジャーナルプリンタ
７２  蓋
８  連結部材
８１  第１軸
８２  第２軸
Ｄ  動作範囲
【先行技術文献】
【特許文献】
【００４１】
【特許文献１】特開２０１１−９６１２６号公報
【図１】
0005379836.tif 000002
【図２】
0005379836.tif 000003
【図３】
0005379836.tif 000004
【図４】
0005379836.tif 000005
【図５】
0005379836.tif 000006
【図６】
0005379836.tif 000007